(57)【要約】【課題】ダイヤルスイッチ装置の新規な発光態様を提供する。【解決手段】ダイヤルノブ１１は、制御対象に変化をもたらすために回転軸Ａを中心として回転可能である。ハーフミラー１２は、回転軸Ａに沿う方向から見てダイヤルノブ１１に周囲を囲まれており、入射した光の一部を通過させるとともに別の一部を反射する第一の面１２１を有している。表示部１３は、ハーフミラー１２の第一の面１２１と対向するように配置されており、前記制御対象に係る情報を表示する。ミラー１４は、ハーフミラー１２の第一の面１２１と対向する反射面１４１を有している。光源１５は、ハーフミラー１２の第一の面１２１とミラー１４の反射面１４１に反射される光を出射する。【選択図】図２
2020126743.tif 000002
【特許請求の範囲】
【請求項１】
制御対象に第一の変化をもたらす第一方向への回転と当該制御対象に第二の変化をもたらす当該第一方向とは反対の第二方向への回転が可能であるダイヤルノブと、
前記ダイヤルノブが前記第一方向へ回転されると第一の態様で発光し、前記ダイヤルノブが前記第二方向へ回転されると当該第一の態様とは異なる第二の態様で発光する発光部と、
を備えている、
ダイヤルスイッチ装置。
【請求項２】
前記ダイヤルノブが回転されていないとき、前記発光部は、前記第一の態様および前記第二の態様と異なる第三の態様で発光する、
請求項１に記載のダイヤルスイッチ装置。
【請求項３】
前記制御対象に係る情報を表示する表示部を備えており、
前記ダイヤルノブの回転軸に沿う方向から見たとき、前記表示部は前記ダイヤルノブに周囲を囲まれており、前記発光部は前記ダイヤルノブと前記表示部の間に位置している、
請求項１または２に記載のダイヤルスイッチ装置。
【請求項４】
制御対象に変化をもたらすために回転軸を中心として回転可能であるダイヤルノブと、
前記回転軸に沿う方向から見て前記ダイヤルノブに周囲を囲まれており、入射した光の一部を通過させるとともに別の一部を反射する第一の面を有しているハーフミラーと、
前記ハーフミラーの前記第一の面と対向するように配置されており、前記制御対象に係る情報を表示する表示部と、
前記ハーフミラーの前記第一の面と対向する反射面を有しているミラーと、
前記ハーフミラーの前記第一の面と前記ミラーの前記反射面に反射される光を出射する光源と、
を備えている、
ダイヤルスイッチ装置。
【請求項５】
前記ダイヤルノブの回転量に応じて、前記ハーフミラーの前記第一の面と前記ミラーの前記反射面による前記光の反射態様を変化させる光源制御部を備えている、
請求項４に記載のダイヤルスイッチ装置。
【請求項６】
前記表示部は、前記ハーフミラーの前記第一の面に接するように配置されている、
請求項４または５に記載のダイヤルスイッチ装置。
【請求項７】
前記光源は、前記ミラーよりも前記ハーフミラーから離れた位置に配置されており、
前記ハーフミラーの前記第一の面と前記ミラーの前記反射面に反射されるように前記光を導く導光部を備えている、
請求項４から６のいずれか一項に記載のダイヤルスイッチ装置。
【請求項８】
前記ハーフミラーは、前記第一の面を通過した光が出射する第二の面を有しており、
前記第二の面と対向するスモーク層を備えている、
請求項４から７のいずれか一項に記載のダイヤルスイッチ装置。
【請求項９】
前記ダイヤルノブは、第一方向へ回転されることにより前記制御対象に第一の変化をもたらし、当該第一方向とは反対の第二方向へ回転されることにより当該制御対象に第二の変化をもたらすように構成されており、
前記光源は、前記ダイヤルノブが前記第一方向へ回転されると第一の態様で光を出射し、前記ダイヤルノブが前記第二方向へ回転されると当該第一の態様とは異なる第二の態様で光を出射する、
請求項４から８のいずれか一項に記載のダイヤルスイッチ装置。
【請求項１０】
前記ダイヤルノブが回転されていないとき、前記光源は、前記第一の態様および前記第二の態様と異なる第三の態様で光を出射する、
請求項９に記載のダイヤルスイッチ装置。
【発明の詳細な説明】
【技術分野】
【０００１】
本発明は、ダイヤルスイッチ装置に関連する。
【背景技術】
【０００２】
特許文献１に記載されたダイヤルスイッチ装置は、ハウジングに対して相対回転可能なダイヤルノブを備えている。ハウジング内に収容された光源から出射された光は、ダイヤルスイッチの外周に沿って形成された隙間からハウジングの外に出る。これにより、ダイヤルノブの周辺が発光しているようにユーザに視認される。
【先行技術文献】
【特許文献】
【０００３】
【特許文献１】特開平１１−０８６６６３号公報
【発明の概要】
【発明が解決しようとする課題】
【０００４】
本発明の目的は、ダイヤルスイッチ装置の新規な発光態様を提供することである。
【課題を解決するための手段】
【０００５】
上記目的を達成するための一態様は、ダイヤルスイッチ装置であって、
制御対象に第一の変化をもたらす第一方向への回転と当該制御対象に第二の変化をもたらす当該第一方向とは反対の第二方向への回転が可能であるダイヤルノブと、
前記ダイヤルノブが前記第一方向へ回転されると第一の態様で発光し、前記ダイヤルノブが前記第二方向へ回転されると当該第一の態様とは異なる第二の態様で発光する発光部と、
を備えている。
【０００６】
このような構成によれば、制御対象にもたらす変化に対応しているダイヤルノブの回転方向に応じて発光部の発光態様が変化するので、ユーザに自身が行なっている操作の種別を直感的に認識させることができる。また、提示される情報がダイヤルノブの操作に応じて変化しない複数の標識がダイヤルノブおよびその周囲に設けられている従来のダイヤルスイッチ装置では実現できない動的な操作感が得られる。したがって、ダイヤルスイッチ装置の新規な発光態様を提供できる。
【０００７】
上記目的を達成するための一態様は、ダイヤルスイッチ装置であって、
制御対象に変化をもたらすために回転軸を中心として回転可能であるダイヤルノブと、
前記回転軸に沿う方向から見て前記ダイヤルノブに周囲を囲まれており、入射した光の一部を通過させるとともに別の一部を反射する第一の面を有しているハーフミラーと、
前記ハーフミラーの前記第一の面と対向するように配置されており、前記制御対象に係る情報を表示する表示部と、
前記ハーフミラーの前記第一の面と対向する反射面を有しているミラーと、
前記ハーフミラーの前記第一の面と前記ミラーの前記反射面に反射される光を出射する光源と、
を備えている。
【０００８】
このような構成によれば、ダイヤルノブの回転操作に応じて変化する制御対象に係る情報を、ダイヤルノブに囲まれた領域に表示させることができる。これにより、提示される情報がダイヤルノブの操作に応じて変化しない複数の標識がダイヤルノブおよびその周囲に設けられている従来のダイヤルスイッチ装置では実現できない動的な操作感を得ることができる。
【０００９】
さらに、ダイヤルノブに囲まれた領域には、光源の無限鏡像が視認される。これにより、当該領域が実際よりも深い奥行きを有しているとの錯覚をユーザに与えることができる。ダイヤルノブの内側という限られた領域に奥行き感を与える光源の無限鏡像が、当該領域に表示部とともに配置されることにより、ダイヤルスイッチ装置の新規な発光態様を提供できる。
【図面の簡単な説明】
【００１０】
【図１】一実施形態に係るダイヤルスイッチ装置の外観を例示している。
【図２】図１のダイヤルスイッチ装置の内部構成を例示している。
【図３】図１のダイヤルスイッチ装置の動作例を示している。
【図４】図１のダイヤルスイッチ装置の動作例を示している。
【発明を実施するための形態】
【００１１】
添付の図面を参照しつつ、実施形態の例について以下詳細に説明する。
【００１２】
図１は、一実施形態に係るダイヤルスイッチ装置１０の外観を例示している。図２の（Ａ）は、ダイヤルスイッチ装置１０の一部の内部構造を例示している。本例に係るダイヤルスイッチ装置１０は、車両に搭載されて車室内の温度を調節するための装置である。温度は、制御対象の一例である。
【００１３】
ダイヤルスイッチ装置１０は、ダイヤルノブ１１を備えている。ダイヤルノブ１１は、ハウジング２０の外側に露出するように配置されている。ダイヤルノブ１１は、温度を調節するために回転軸Ａを中心として回転可能である。すなわち、ユーザによってダイヤルノブ１１が操作されることにより、温度に変化がもたらされる。
【００１４】
ダイヤルスイッチ装置１０は、ハーフミラー１２を備えている。図１に示されるように、ハーフミラー１２は、回転軸Ａに沿う方向から見てダイヤルノブ１１に周囲を囲まれている。すなわち、ダイヤルノブ１１は、回転軸Ａに沿う方向から見て環形状を有している。図２の（Ａ）に示されるように、ハーフミラー１２は、入射した光の一部を通過させるとともに別の一部を反射する第一の面１２１を有している。
【００１５】
ダイヤルスイッチ装置１０は、表示部１３を備えている。表示部１３は、ハーフミラー１２の第一の面１２１と対向するように配置されている。表示部１３は、車室温度の設定値を表示する表示面を有する装置である。表示面は、７セグメント型の発光素子や液晶表示面により構成されうる。車室温度の設定値は、制御対象に係る情報の一例である。
【００１６】
ダイヤルスイッチ装置１０は、ミラー１４を備えている。ミラー１４は、反射面１４１を有している。ミラー１４は、反射面１４１がハーフミラー１２の第一の面１２１と対向するように配置されている。
【００１７】
ダイヤルスイッチ装置１０は、光源１５を備えている。光源１５は、ハーフミラー１２の第一の面１２１とミラー１４の反射面１４１により反射される光を出射する装置である。光源１５としては、発光ダイオード（ＬＥＤ）や有機ＥＬ素子などの半導体発光素子が例示されうる。
【００１８】
光源１５から出射された光の一部Ｌ１は、ハーフミラー１２の第一の面１２１を通過して第二の面１２２から出射される。光源１５から出射された光の別の一部Ｌ２は、ハーフミラー１２の第一の面１２１により反射されてミラー１４に入射する。光Ｌ２は、ミラー１４の反射面１４１により反射されて再びハーフミラー１２の第一の面１２１に入射する。ミラー１４による反射光の一部Ｌ３は、ハーフミラー１２の第一の面１２１を通過して第二の面１２２から出射される。ミラー１４による反射光の別の一部Ｌ４は、ハーフミラー１２の第一の面１２１により反射されて再びミラー１４に入射する。
【００１９】
このような反射が繰り返されつつハーフミラー１２の第二の面１２２からの出射光強度が徐々に弱まっていくことにより、図３に示されるように、ハーフミラー１２の背後に光源１５が無限に連なっているかのような鏡像が、ダイヤルスイッチ装置１の外側から視認される。光源１５の無限鏡像は、ダイヤルノブ１１の内側に発光部１５１を形成する。発光部１５１は、ダイヤルノブ１１と表示部１３の間に位置している。
【００２０】
他方、図２の（Ａ）に示されるように、表示部１３に表示された温度の値を示す像は、光Ｌ０としてハーフミラー１２を通過する。したがって、図３に示されるように、ハーフミラー１２を通じてダイヤルノブ１１の内側に温度の値が視認される。
【００２１】
このような構成によれば、ダイヤルノブ１１の回転操作に応じて変化する温度の値を、ダイヤルノブ１１に囲まれた領域に表示させることができる。これにより、提示される情報がダイヤルノブの操作に応じて変化しない複数の標識がダイヤルノブおよびその周囲に設けられている従来のダイヤルスイッチ装置では実現できない動的な操作感が得られる。
【００２２】
さらに、ダイヤルノブ１１に囲まれた領域には、光源１５の無限鏡像が視認される。これにより、当該領域が実際よりも深い奥行きを有しているとの錯覚をユーザに与えることができる。ダイヤルノブ１１の内側という限られた領域に奥行き感を与える発光部１５１が、当該領域に表示部１３とともに配置されることにより、ダイヤルスイッチ装置１０の新規な発光態様を提供できる。
【００２３】
図２の（Ｂ）は、ダイヤルスイッチ装置１０の一部の機能的な構成を例示している。ダイヤルスイッチ装置１０は、光源制御部１６を備えうる。光源制御部１６は、ダイヤルノブ１１の回転操作に応じて発光部１５１の状態を変化させるように構成されうる。換言すると、光源制御部１６は、ハーフミラー１２の第一の面１２１とミラー１４の反射面１４１による光源１５から出射された光の反射態様を、ダイヤルノブ１１の回転操作に応じて変化させるように構成されうる。
【００２４】
例えば、光源制御部１６は、光源１５から出射される光の光量を、ダイヤルノブ１１の回転量に応じて変化させるように構成されうる。例えば、光源制御部１６は、ダイヤルノブ１１の回転量を検出するロータリーエンコーダからの出力に応じて、光源１５に供給される駆動電力を変化させる構成として実現されうる。この場合、ダイヤルノブ１１の操作量に応じて、発光部１５１の明るさが変化する。
【００２５】
あるいは、光源制御部１６は、光源１５から出射される光のハーフミラー１２の第一の面１２１への入射角を、ダイヤルノブ１１の回転量に応じて変化させるように構成されうる。例えば、光源制御部１６は、ダイヤルノブ１１の回転運動を光源１５の姿勢変化に変換する伝達機構として構成されうる。この場合、ダイヤルノブ１１の操作量に応じて、発光部１５１を形成している光源１５の鏡像同士の間隔が変化する。
【００２６】
図２の（Ａ）に示される例においては、単一の光源１５が設けられている。しかしながら、ダイヤルスイッチ装置１０は、複数の光源１５を備えうる。この場合、光源制御部１６は、点灯される光源１５の数を、ダイヤルノブ１１の回転量に応じて変化させるように構成されうる。光源制御部１６は、ダイヤルノブ１１の回転量を検出するロータリーエンコーダからの出力に応じて、駆動電力が供給される光源１５の数を変更する構成として実現されうる。この場合、ダイヤルノブ１１の操作量に応じて、発光部１５１を形成している光源１５の鏡像の数が変化する。
【００２７】
上記のような構成によれば、表示部１３に表示される車室温度の設定値だけでなく、発光部１５１の発光態様もまた、ダイヤルノブ１１の回転操作に応じて変化させることができる。したがって、さらに動的な操作感が得られる。
【００２８】
図２の（Ａ）に示されるように、表示部１３は、ハーフミラー１２の第一の面１２１に接するように配置されうる。
【００２９】
このような構成によれば、第一の面１２１による表示部１３から出射される光Ｌ０の内部反射が抑制されるので、表示部１３により表示される温度の値の視認性を向上できる。
【００３０】
図２の（Ａ）に示されるように、光源１５は、ミラー１４よりもハーフミラー１２から離れた位置に配置されうる。この場合、ダイヤルスイッチ装置１０は、導光部１７を備えうる。導光部１７は、光源１５から出射された光を、ハーフミラー１２の第一の面１２１とミラー１４の反射面１４１により反射されるように導く形状および配置をとりうる。
【００３１】
ダイヤルノブ１１の回転軸Ａに沿う方向について比較的余裕のある空間にダイヤルスイッチ装置１０が配置される場合、上記のような構成によれば、当該空間を効率的に利用して光源１５を配置でき、ダイヤルノブ１１の径方向についてのダイヤルスイッチ装置１０の大型化を抑制できる。
【００３２】
図２の（Ａ）に示されるように、ダイヤルスイッチ装置１０は、スモーク層１８を備えうる。スモーク層１８は、スモーク加工により光の透過率が低減されたアクリル板などにより実現されうる。スモーク層１８は、ハーフミラー１２の第二の面１２２と対向するように配置される。
【００３３】
このような構成によれば、光源１５が点灯されていない状態において、ハーフミラー１２を通じて表示部１３を視認しにくくできる。したがって、発光部１５１が形成されていない状態においてもダイヤルスイッチ装置１０の美観性を向上できる。
【００３４】
図４に示されるように、ダイヤルノブ１１は、時計回り方向へ回転されることにより車室温度を上げ、反時計回り方向へ回転されることにより車室温度を下げるように構成されうる。時計回り方向は、第一方向の一例である。反時計回り方向は、第二方向の一例である。車室温度の上昇は、制御対象の第一の変化の一例である。車室温度の下降は、制御対象の第二の変化の一例である。
【００３５】
この場合、光源１５は、ダイヤルノブ１１が時計回り方向へ回転されると赤色の光を出射し、ダイヤルノブ１１が反時計回り方向へ回転されると青色の光を出射するように構成されうる。赤色の光の出射は、第一の態様で光を出射することの一例である。青色の光の出射は、第二の態様で光を出射することの一例である。すなわち、ダイヤルノブ１１が時計回り方向へ回転されると、発光部１５１が赤色に発光し、ダイヤルノブ１１が反時計回り方向へ回転されると、発光部１５１が青色に発光する。赤色での発光は、第一の態様で発光することの一例である。青色での発光は、第二の態様で発光することの一例である。
【００３６】
具体的には、図２の（Ｂ）に示される光源制御部１６が、ダイヤルノブ１１の回転方向に応じて光源１５から出射される光の色を変化させる。ダイヤルノブ１１の回転方向は、例えばロータリーエンコーダによって検出されうる。光の色の変更は、例えば白色発光ダイオードより出射される光を構成している三原色の比率を変更することによってなされてもよいし、相違する光を出射可能な複数の光源１５のうち点灯される光源を切り替えることによってなされてもよい。
【００３７】
ダイヤルノブ１１の回転方向に応じて相違する発光態様は、色に限られない。光量や発光パターン（連続的点灯、点滅など）が変更されてもよい。
【００３８】
このような構成によれば、車室温度にもたらす変化に応じて発光部１５１の色が変化するので、ユーザに自身が行なっている操作の種別を直感的に認識させることができる。また、表示部１３に表示される車室温度の設定値だけでなく、発光部１５１の色もまた、ダイヤルノブ１１の回転操作に応じて変化させることができる。したがって、さらに動的な操作感が得られる。
【００３９】
本実施形態においては、ダイヤルノブ１１が回転されていないとき、光源１５は、白色の光を出射するように構成されうる。白色の光の出射は、第三の態様で光を出射することの一例である。例えば、光源制御部１６は、ロータリーエンコーダによってダイヤルノブ１１の回転が検出されていない場合に、光源１５から白色光を出射させるように構成されうる。すなわち、ダイヤルノブ１１が回転されていないとき、発光部１５１は、白色に発光する。白色での発光は、第三の態様で発光することの一例である。
【００４０】
ダイヤルノブ１１が回転されているときと回転されていないときで相違する発光態様は、色に限られない。光量や発光パターン（連続的点灯、点滅など）が変更されてもよい。
【００４１】
このような構成によれば、ダイヤルノブ１１が操作されていない状態においてもダイヤルスイッチ装置１０の美観性を向上できる。さらに、ダイヤルノブ１１の操作によって発光部１５１が変色されるので、動的な操作感を強調できる。
【００４２】
なお、ダイヤルノブ１１が回転されていないときは光源１５が消灯されるように構成されてもよい。
【００４３】
上記の実施形態は、本発明の理解を容易にするための例示にすぎない。上記の実施形態に係る構成は、本発明の趣旨を逸脱しなければ、適宜に変更・改良されうる。
【００４４】
図４を参照して説明したダイヤルノブ１１の回転方向に応じて発光部１５１の色が変更される構成が採用される場合、ダイヤルスイッチ装置１０は、表示部１３や無限鏡像を形成するための構成を備えていなくともよい。また、このような発色を呈する発光部１５１は、必ずしもダイヤルノブ１１に囲まれる領域に形成されることを要しない。例えば、ダイヤルノブ１１を包囲するように発光部１５１が形成されうる適宜の箇所に、光源１５が配置されうる。
【００４５】
このような構成によっても、車室温度にもたらす変化に対応しているダイヤルノブの回転方向に応じて発光部の色が変化するので、ユーザに自身が行なっている操作の種別を直感的に認識させることができる。また、提示される情報がダイヤルノブの操作に応じて変化しない複数の標識がダイヤルノブおよびその周囲に設けられている従来のダイヤルスイッチ装置では実現できない動的な操作感が得られる。したがって、ダイヤルスイッチ装置の新規な発光態様を提供できる。
【００４６】
ダイヤルノブ１１により制御される対象は、車室温度に限られない。上記のダイヤルスイッチ装置１０の構成は、車両に搭載されたオーディオ機器の音量調節、選曲、選局などにも使用されうる。例えば音量調節の場合、ダイヤルノブ１１の時計回り方向への回転操作により音量が上げられ、ダイヤルノブ１１の反時計回り方向への回転操作により音量が下げられる。音量の上昇は、制御対象の第一の変化の一例である。音量の低下は、制御対象の第二の変化の一例である。あるいは、上記のダイヤルスイッチ装置１０の構成は、車両に搭載されたナビゲーション装置における各種設定の変更にも使用されうる。
【００４７】
上記のダイヤルスイッチ装置１０は、車載機器の構成要素として用いられることを要しない。上記のダイヤルスイッチ装置１０は、ダイヤルノブ１１の回転操作により制御対象に特定の変化をもたらしうる各種の装置に使用されうる。そのような装置の例としては、建物の空調設備、建物の調光設備、室内あるいは室外で使用される音響映像機器、調理機器、空調機器、玩具などが挙げられる。
【符号の説明】
【００４８】
１０：ダイヤルスイッチ装置、１１：ダイヤルノブ、１２：ハーフミラー、１２１：第一の面、１２２：第二の面、１３：表示部、１４：ミラー、１４１：反射面、１５：光源、１５１：発光部、１６：光源制御部、１７：導光部、１８：スモーク層、Ａ：回転軸
【図１】
2020126743.tif 000003
【図２】
2020126743.tif 000004
【図３】
2020126743.tif 000005
【図４】
2020126743.tif 000006